(57)【要約】【課題】所望のレシピに従い調味料を調合する際、使用者が各調味料の分量を簡単且つ適正に計量でき、しかも、低コストで実現し得る計量装置を提供する。【解決手段】計量装置は、調味料を投入可能に構成された容器と、容器の周壁に情報を表示する表示部と、レシピデータを取得するレシピデータ取得部と、取得されたレシピデータに基づき、調合する調味料の容器への投入順序、及び、各調味料の投入に伴い変化する容器内での調味料の総容積を算出する調合手順演算部と、算出された調味料の投入順序及び総容積に基づき、容器に投入すべき調味料の種類及び調味料の容器内への投入量を表す目盛を、各調味料の投入順に表示部に表示させる表示制御部と、を備える。【選択図】図２
2020148717.tif 000002
【特許請求の範囲】
【請求項１】
透明な周壁を有し、調味料を投入可能に構成された容器と、
前記容器の周壁に情報を表示するように構成された表示部と、
調合する調味料の種類及び分量を表すレシピデータを取得するレシピデータ取得部と、
前記レシピデータ取得部にて取得されたレシピデータに基づき、前記調合する調味料の前記容器への投入順序、及び、各調味料の投入に伴い変化する前記容器内での前記調味料の総容積を算出する調合手順演算部と、
前記調合手順演算部にて算出された前記調味料の投入順序及び総容積に基づき、前記容器に投入すべき調味料の種類及び該調味料の前記容器内への投入量を表す目盛を、各調味料の投入順に、前記表示部に順次表示させる表示制御部と、
を備えた計量装置。
【請求項２】
前記表示制御部は、前記調味料の投入順序に従い、次に投入すべき調味料の分量を示す目盛を、既に投入されている調味料の総容積に上乗せする位置に表示させるように構成されている、請求項１に記載の計量装置。
【請求項３】
前記表示部は、前記容器の周壁に設けられた発光体により情報を表示するように構成されている、請求項１又は請求項２に記載の計量装置。
【請求項４】
前記表示部は、前記容器を戴置するための台座から表示すべき情報を構成する光の像を前記容器の周壁に投映することで、前記容器の周壁に当該情報を表示するように構成されている、請求項１又は請求項２に記載の計量装置。
【請求項５】
前記表示部は、無線通信部と共に、前記容器に設けられ、
前記レシピデータ取得部、前記調合手順演算部、及び、前記表示制御部は、前記無線通信部との間で無線通信可能な情報端末に設けられ、
前記表示制御部は、前記情報端末の無線通信機能により前記容器の前記無線通信部との間で通信して、前記表示部に前記調味料の種類及び目盛を表示させるように構成されている、請求項１〜請求項４の何れか１項に記載の計量装置。
【請求項６】
調合する調味料の種類及び分量を表すレシピデータを取得するレシピデータ取得部、
前記レシピデータ取得部にて取得されたレシピデータに基づき、前記調合する調味料の容器への投入順序、及び、各調味料の投入に伴い変化する前記容器内での前記調味料の総容積を算出する調合手順演算部、
及び、前記調合手順演算部にて算出された前記調味料の投入順序及び総容積に基づき、前記容器に投入すべき調味料の種類及び該調味料の前記容器内への投入量を表す目盛を、各調味料の投入順に、表示部に順次表示させる表示制御部、
として、コンピュータを機能させるためのプログラム。
【発明の詳細な説明】
【技術分野】
【０００１】
本開示は、所望のレシピデータに従い調味料を調合するのに好適な計量装置に関する。
【背景技術】
【０００２】
この種の計量装置として、特許文献１に記載のように、ユーザ端末から入力されたレシピデータに従って、調味料収容部から所定の分量の調味料を順次排出するよう構成された装置が知られている。この計量装置によれば、レシピデータに従って、調合すべき調味料が自動で計量されて排出されることから、使用者は、調味料の種類や分量を確認することなく調味料を調合できる。
【０００３】
また、特許文献２に記載のように、調味料を計量する容器の容積を、調味料の調合順に順次変化させることで、調味料を調合順に順次計量できるようにした計量装置も知られている。この計量装置によれば、調味料を調合する際、使用者は、計量用の容器に調味料を入れるだけで、調味料を調合順に計量することができるようになり、調味料毎の計量作業を簡単にすることができる。
【先行技術文献】
【特許文献】
【０００４】
【特許文献１】特開２０１８−４０５６８号公報
【特許文献２】特許第５６４０１９４号公報
【発明の概要】
【発明が解決しようとする課題】
【０００５】
しかし、これら従来の計量装置は、複数の調味料収納部からの調味料の排出量をそれぞれ調整したり、計量用の容器の容積を調合順に調整したりするためのアクチュエータ及び制御装置が必要である。
【０００６】
このため、上記従来の計量装置は、装置構成が複雑になり、装置の大型化及びコストアップを招き、各家庭で導入するのは難しいという問題がある。
本開示の１つの局面は、所望のレシピに従い調味料を調合する際、使用者が各調味料の分量を簡単且つ適正に計量でき、しかも、低コストで実現し得る計量装置を提供することが望ましい。
【課題を解決するための手段】
【０００７】
本開示の一局面の計量装置は、透明な周壁を有し、調味料を投入可能に構成された容器、及び、容器の周壁に情報を表示するように構成された表示部と、レシピデータ取得部、調合手順演算部、及び、表示制御部と、を備える。
【０００８】
ここで、レシピデータ取得部は、調合する調味料の種類及び分量を表すレシピデータを取得し、調合手順演算部は、レシピデータに基づき、調合する調味料の容器への投入順序、及び、各調味料の投入に伴い変化する容器内での調味料の総容積を算出する。
【０００９】
また、表示制御部は、調合手順演算部にて算出された前記調味料の投入順序及び総容積に基づき、容器に投入すべき調味料の種類及び各調味料の容器内への投入量を表す目盛を、各調味料の投入順に、表示部に順次表示させる。
【００１０】
このため、本開示の計量装置によれば、使用者は、調味料を調合する際、容器の表示部に順次表示される調味料の種類及び目盛に従い、調味料を選択して、容器内に投入するだけで良い。
【００１１】
また、調味料を投入する際、表示部により容器の周壁に表示される目盛に対応した位置まで調味料を投入すれば、レシピデータに対応した分量の調味料を計量できるようになるので、調合する調味料の計量を極めて簡単に行うことができる。
【００１２】
また、本開示の計量装置によれば、透明な容器に表示部を設けて、調合順に調味料の種類及び目盛を表示するだけでよく、従来装置のように、計量用の容器の容積や、調味料収納部からの調味料の排出量を調整するためのアクチュエータを設ける必要がない。
【００１３】
このため、計量装置の構成を簡単にして、計量装置を小型化、低コスト化することができ、家庭でも導入し易い計量装置を提供することができる。
ここで、表示制御部は、調味料の投入順序に従い、次に投入すべき調味料の分量を示す目盛を、既に投入されている調味料の総容積に上乗せする位置に表示させるように構成されていてもよい。
【００１４】
このようにすれば、使用者は、容器内に調味料を投入する際、容器内に投入済みの調味料があっても、これから投入する調味料の分量を、表示部に表示された目盛にて容易に確認できるようになり、各調味料の計量を正確に行うことができる。
【００１５】
なお、表示部は、容器の周壁に設けられた発光体により情報（詳しくは調味料の種類や目盛）を表示するように構成されていてもよい。また、表示部は、容器を戴置するための台座から表示すべき情報を構成する光の像を容器の周壁に投映することで、容器の周壁に情報（詳しくは調味料の種類や目盛）を表示するように構成されていてもよい。
【００１６】
つまり、表示部が容器の周壁に貼り付けられて、表示部自身が情報を表示するように構成されていても、或いは、表示部が投映により容器の周壁に情報を表示するように構成されていても、本開示の計量装置を実現できる。
【００１７】
また、表示部は、無線通信部と共に容器に設けられ、レシピデータ取得部、調合手順演算部、及び、表示制御部は、無線通信部との間で無線通信可能な情報端末に設けられていてもよい。
【００１８】
この場合、表示制御部は、情報端末の無線通信機能によって、容器の無線通信部との間で通信して、表示部に調味料の種類及び目盛を表示させるように構成すればよい。つまり、表示制御部をこのように構成することで、容器の周壁に、調合すべき調味料の種類及び目盛を順次表示させることができる。
【００１９】
そして、計量装置をこのように構成すれば、レシピデータ取得部、調合手順演算部、及び、表示制御部を、容器に設ける必要がないため、容器本体の構成を簡単にすることができる。
【００２０】
また、レシピデータ取得部、調合手順演算部、及び、表示制御部は、計量装置専用の情報端末にて構成することもできるし、例えば、スマートフォン、タブレット端末、パソコン、といった汎用の情報端末の一機能として実現することもできる。
【００２１】
そして、レシピデータ取得部、調合手順演算部、及び、表示制御部を、汎用の情報端末の一機能として実現するようにすれば、専用の情報端末を準備する必要がないため、計量装置の構成をより簡単にして、より低コストで実現できることになる。
【００２２】
また、汎用の情報端末をこのように機能させるには、レシピデータ取得部、調合手順演算部、及び、表示制御部としてコンピュータを機能させるためのプログラムを、情報端末にインストールすればよく、このプログラムは容器とは別体で構成することができる。
【００２３】
そして、このプログラムは、インターネット等のネットワークに接続可能な情報端末に対し、ネットワーク上のサーバから情報端末に配信することができるため、本開示の計量装置をより簡単に実現できるようになる。
【図面の簡単な説明】
【００２４】
【図１】実施形態の計量装置全体の構成を表す説明図である。
【図２】容器及び情報端末の電気的構成を表すブロック図である。
【図３】情報端末の制御部において実行される表示制御処理を表すフローチャートである。
【図４】情報端末のメモリに記憶された調味料データの構成例を表す説明図である。
【図５】容器の表示部への調味料の投入手順の表示例を表す説明図である。
【図６】容器の変形例を表す説明図である。
【発明を実施するための形態】
【００２５】
以下に、本開示の実施形態を図面と共に説明する。
図１に示すように、本実施形態の計量装置は、調合対象となる複数の調味料を投入して混ぜ合わせることのできる容器１０と、使用者が所有する情報端末２０とで構成される。
【００２６】
容器１０は、上下方向に細長く、容器内部が下方から上方にかけて広がるように、透明なガラス若しくは合成樹脂にて形成されている。そして、容器１０の上端は、調味料を容器１０内に投入できるように開放されており、容器１０の下端は閉塞されて、台座２に固定されている。
【００２７】
台座２は、容器１０を載置することで、容器１０を上下方向に立設させた状態で保持するためのものであり、容器１０の下端部よりも設置面積が広くなるよう、容器１０の下端部周囲に張り出している。
【００２８】
台座２には、図２に示す無線通信部４及び表示回路６を構成する各種電子部品が実装された回路基板が収納されており、台座２の上面には、その回路基板に電源供給するための電源スイッチ３が設けられている。
【００２９】
なお、電源スイッチ３は、使用者の操作によって、台座２に収納された電池、若しくは、商用電源等の外部電源から、回路基板への電力供給経路を、導通・遮断させるためのものである。
【００３０】
また、容器１０の周壁には、容器１０内に投入する調味料の種類（例えば名称）と分量を表示するための表示部１２が設けられている。この表示部１２は、透明なフィルム状の表示パネル、例えば、透明ＯＬＥＤ、にて構成されている。
【００３１】
そして、表示部１２において、容器１０の上方が、調味料の種類を表示する調味料表示エリア１６となっており、その調味料表示エリア１６の下方全域が、調味料の分量を表示する分量表示エリア１４となっている。
【００３２】
なお、分量表示エリア１４には、容器１０の上下方向に沿って、容器１０内に投入された調味料の分量を表示するための目盛が形成されており、表示回路６は、その目盛の所定領域を発光させることで、投入すべき調味料の分量を表示部１２に表示させる。
【００３３】
次に、情報端末２０は、例えば、スマートフォン等の携帯型の情報端末にて構成されている。このため、情報端末２０には、表示部２２と、表示部２２の表示面に積層されたタッチパネル等からなる操作部２４と、使用者が通話に用いる音声入出力部２６と、外部端末との間で無線通信を行うための無線通信部３０と、が備えられている。
【００３４】
また、無線通信部３０には、電話回線への接続用の第１通信部３２、無線ＬＡＮへの接続用の第２通信部３４、及び、ブルートゥース（登録商標）等の近距離通信用の第３通信部３６、が設けられている。
【００３５】
そして、表示部２２、操作部２４、音声入出力部２６、及び、無線通信部３０は、ＣＰＵ，ＲＯＭ，ＲＡＭ等を含むマイコンにて構成された制御部４０に接続されている。
制御部４０は、ＣＰＵが不揮発性のメモリ４２に記憶されたプログラムを実行することにより動作し、操作部２４を介して入力される指令に従って、無線通信部３０を介して外部装置と無線通信を行い、表示部２２へ各種情報を表示する。また、制御部４０は、音声入出力部２６を介して、通話のための音声を入出力したり、音楽を再生したりする。
【００３６】
また、制御部４０は、メモリ４２に調味料計量用のプログラムを記憶させて（換言すればアプリをインストールして）、ＣＰＵにそのプログラムを実行させることで、容器１０の表示部１２に、調合する調味料の種類及び分量を表示させることができる。
【００３７】
以下、このプログラムに従って、制御部４０が実行する表示制御処理について、図３に示すフローチャートに沿って説明する。
図３に示すように、この表示制御処理においては、まずＳ１１０（Ｓはステップを表す）にて、使用者からの指令に従い、第１通信部３２若しくは第２通信部３４を介して、インターネット上の外部サーバから、任意のレシピデータを取得する。
【００３８】
レシピデータは、所定の料理を行うに当たって、調合すべき調味料の種類及び分量を表す情報が含まれていればよい。このため、Ｓ１１０では、情報端末２０に搭載されたカメラ（図示せず）を介して、レシピが記述された印刷物を撮像することで、レシピデータを取得するようにしてもよい。また、使用者が操作部２４を介して入力した文字情報を、レシピデータとして取得するようにしてもよい。また、これらの取得方法を使用者が適宜選択できるようにしてもよい。
【００３９】
次に、Ｓ１２０では、調味料の計量条件として、情報端末２０の使用者の年齢や味付けに関する好みを表す利用者情報、調合する調味料を何人分にするのかを表す人数情報、調合に利用する容器１０の種類を表す容器情報、等を取得する。
【００４０】
なお、これらの情報は、予めメモリ４２に登録しておき、Ｓ１２０では、その登録された情報を計量条件として取得するようにしてもよい。また、Ｓ１２０では、計量条件入力用の画面を表示部２２に表示させ、使用者がその表示画面上で計量条件を入力することで、計量条件を取得するようにしてもよい。また、これらの取得方法を使用者が適宜選択できるようにしてもよい。
【００４１】
こうして、レシピデータ及び計量条件が取得されると、Ｓ１３０に移行して、取得したレシピデータ及び計量条件に基づき、調合する調味料と各調味料の分量を決定し、続くＳ１４０にて、調合する調味料の種類に基づき、各調味料の投入順序を決定する。
【００４２】
Ｓ１４０にて、調味料の投入順序を決定する際には、調味料計量用のプログラムと共にメモリ４２に記憶されている調味料データが利用される。
この調味料データは、図４に示すように、容器１０を使って調合可能な全ての調味料が、容器１０への投入順に記憶されており、Ｓ１４０では、Ｓ１３０にて調合する調味料として決定された各調味料を、投入順にソートする。
【００４３】
なお、調味料データは、調味料の種類に従い、酢や醤油等の液体の調味料を最も早く投入し、次に、砂糖や塩等、液体に溶ける粉状の調味料を投入し、次に、味噌やマヨネーズ、ケチャップ等、練り物或いはゼリー状の調味料を投入する、ように設定されている。
【００４４】
これは、例えば、液体の調味料と粉状の調味料とを容器に投入した際、粉状の調味料は液体の調味料に溶けて、投入した分量に比べて、容器内での体積が減るためである。
そして、調味料データにおいて、液体に溶ける粉状の調味料は、液体の調味料と混合した際に体積が減ることを考慮して、Ｓ１３０にて決定した分量に乗じる係数が、実験等によって、１より小さい値に設定されている。また、容器１０内で他の調味料と混ざることで体積が変化しない液体の調味料や、練り物或いはゼリー状の調味料は、係数が１に設定されている。
【００４５】
次に、Ｓ１４０にて、調合する各調味料の投入順序が決定されると、Ｓ１５０に移行し、決定された投入順序で各調味料を投入する度に、容器内で増加する全調味料の体積の増加量を算出する。なお、この算出には、調味料データにおいて、調味料毎に設定されている係数が利用され、体積の増加量は、各調味料の分量に係数を乗じ、体積に換算することで算出される。
【００４６】
そして、続くＳ１６０では、Ｓ１２０にて、計量条件の一つとして取得した容器１０の種類と、各調味料の投入毎に増加する体積の増加量を積算した全調味料の総容積とに基づき、各調味料を投入した際の容器１０内での調味料の高さを、表示位置として算出する。
【００４７】
次に、Ｓ１７０では、投入順を表すカウンタｎに初期値１を設定し、続くＳ１８０にて、投入ｎ番目の調味料の名称及びその分量を容器１０の表示部１２に表示させるための表示データを生成して、無線通信部３０から容器１０に送信させる。
【００４８】
なお、この表示データの送信には、容器１０の無線通信部４と無線通信可能な第３通信部３６若しくは第２通信部３４が利用され、表示データは、近距離通信若しくは無線ＬＡＮにて容器１０に送信される。
【００４９】
また、表示データは、容器１０の表示部１２において、各調味料の投入毎に変化する全調味料の高さを目盛の発光により表示させるためのデータであり、本実施形態では、投入する調味料の分量に応じて、発光させる目盛の数が設定される。
【００５０】
この結果、容器１０側では、この表示データが無線通信部４にて受信され、表示回路６が、その表示データに基づき、図５に示すように、表示部１２の調味料表示エリア１６及び分量表示エリア１４に、調味料の名称及び分量をそれぞれ表示させることになる。
【００５１】
次に、Ｓ１９０では、ｎ番目の調味料の投入が完了したか否かを判断することにより、ｎ番目の調味料の投入が完了するのを待機する。なお、Ｓ１９０では、操作部２４を介して使用者が投入完了を入力することで、調味料が投入されたと判断するようにしてもよい。
【００５２】
また、例えば、図２に点線で示すように、容器１０に荷重センサ８を設けて、投入された調味料の重量を測定できるようにし、その重量の測定結果を、容器１０から無線通信により取得することで、調味料の投入が完了したことを判断するようにしてもよい。このようにすれば、容器１０の重量変化から、調味料が所定量投入されたことを判断できるようになり、調味料の計量をより正確に実施することが可能となる。
【００５３】
こうして、Ｓ１９０にて、ｎ番目の調味料の投入が完了したと判断されると、Ｓ２００に移行して、容器１０への全ての調味料の投入が完了したか否かを判断する。そして、全調味料の投入が完了していなければ、Ｓ２１０にて、カウンタｎの値をインクリメント（＋１）して、Ｓ１８０に移行する。
【００５４】
この結果、Ｓ１８０では、図５に示すように、容器１０に調味量が投入される度に、容器１０の表示部１２の表示を切り替え、次に容器１０に投入すべき調味量の名称及び分量を表示させることになる
また、Ｓ２００にて、調合すべき全調味料の投入が完了したと判断されると、Ｓ２２０に移行して、調味料の投入が完了したことを表す表示データを、無線通信部３０から容器１０に送信させる。
【００５５】
この表示データは、図５の右側欄に記載のように、表示部１２の調味料表示エリア１６に、投入完了を表すメッセージ（図ではカンセイ）を表示させるためのデータであり、使用者は、この表示により調味料の投入完了を検知することができる。また、使用者は、調味料の投入完了を検知すると、容器１０内の調味料を撹拌して、調合後の調味料を完成することができる。
【００５６】
なお、表示回路６は、図５に示すように、調味料表示エリア１６に、調合する調味料の数に対応した丸印（図では５個）を表示し、調味料の投入が完了する度に、発光させる丸印の位置を左端の１番目から順に変更するように構成されている。このため、使用者は、この表示によって、レシピデータに従い調合する調味料の数や投入状態を把握することができる。
【００５７】
また、Ｓ２２０にて、容器１０の表示部１２に調味料の投入完了を表示させると、Ｓ２３０に移行する。そして、Ｓ２３０では、今回の調合結果、例えば、Ｓ１１０〜Ｓ１４０にて取得若しくは決定したレシピデータ、計量条件、各調味料の分量、各調味料の投入順序、等をメモリ４２に保存し、表示制御処理を終了する。
【００５８】
なお、メモリ４２に保存された調合結果は、適宜、予め登録された外部サーバに送信することで、外部サーバ側で、多数の計量装置から調合結果を取得し、所謂ビッグデータとして利用することができるようになる。
【００５９】
以上説明したように、本実施形態の計量装置によれば、携帯型の情報端末２０を利用して、外部サーバから所望のレシピデータを取得し、レシピデータに含まれる各調味料の名称及び分量を、容器１０の表示部１２に、投入順に表示させることができる。また、調味料の分量の表示は、表示部１２の分量表示エリア１４において、その分量に対応する目盛を発光させることで行われる。
【００６０】
このため、使用者は、調味料を調合する際、容器１０の表示部１２に順次表示される調味料の名称及び目盛に従い、調味料を選択して、容器１０内に投入するだけで良く、調味料の計量を極めて簡単に行うことができる。
【００６１】
また、本開示の計量装置によれば、透明な容器１０に表示部１２を設けて、調合順に調味料の種類及び目盛を表示するだけでよく、従来装置のように、容器１０の容積を調整したり、調味料毎に収納部からの排出量を調整したりする必要がない。このため、計量装置の構成を簡単にして、計量装置の小型化、低コスト化を図り、家庭でも導入し易い計量装置を提供することができる。
【００６２】
また、調合する各調味料の分量は、レシピデータだけでなく、計量条件に応じて設定されるので、計量条件として、使用者の年齢や味付けに関する好みを表す利用者情報を設定しておくことで、利用者に適した計量を行うことができる。また、計量条件として、調合に利用する容器１０の種類を表す容器情報を設定することで、利用する容器１０を変更しても、各調味料の分量を適正に表示することができるようになる。
【００６３】
また、本実施形態の計量装置は、情報端末２０を構成する制御部４０のメモリ４２にプログラムを記憶させて、そのプログラムを制御部４０（詳しくはＣＰＵ）に実行させることで、本開示の計量装置としての機能を実現させる。
【００６４】
このため、情報端末２０のメモリ４２に記憶させたプログラムや調味量データを適宜更新することで、計量装置としての動作を改善したり、調合可能な調味量の種類を増加させたりすることができる。
【００６５】
なお、本実施形態において、情報端末２０の制御部４０は、本開示のレシピデータ取得部、調合手順演算部、及び、表示制御部として機能する。このうち、レシピデータ取得部としての機能は、図３に示す表示制御処理におけるＳ１１０の処理にて実現され、調合手順演算部としての機能は、Ｓ１２０〜Ｓ１５０の処理にて実現され、表示制御部としての機能は、Ｓ１６０〜Ｓ２１０の処理にて実現される。
【００６６】
以上、本開示の実施形態について説明したが、本開示の計量装置は、上記実施形態に限定されるものではなく、種々変形することができる。
例えば、上記実施形態では、容器１０の表示部１２は、透明ＯＬＥＤにて構成され、容器１０の周壁に設けられるものとして説明したが、この表示部１２は、透明なフィルム状の表示パネルであればよく、例えば、透明な液晶表示パネルであってもよい。
【００６７】
また、図６に示すように、容器１０の台座２に、容器１０の周壁に情報を投映可能なプロジェクタからなる表示部１８を設け、この表示部１８を利用して、容器１０の周壁に調味量の種類及び分量を表示するようにしてもよい。
【００６８】
また、上記実施形態では、本開示のレシピデータ取得部、調合手順演算部、及び、表示制御部としての機能は、スマートフォン等からなる情報端末２０にて実行されるプログラムにて実現されるものとして説明した。
【００６９】
しかし、これらの機能は、容器１０内の表示回路６に図３に示す表示制御処理を実行させることで、実現するようにしてもよい。このようにすれば、本開示の計量装置を、容器１０単体で実現できるようになる。
【００７０】
なお、この場合、無線通信部４は、スマートフォン等の情報端末を介してレシピデータを取得するように構成すればよい。
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００７１】
２…台座、４…無線通信部、６…表示回路、１０…容器、１２，１８…表示部、１４…分量表示エリア、１６…調味料表示エリア、２０…情報端末、３０…無線通信部、４０…制御部、４２…メモリ。
【図１】
2020148717.tif 000003
【図２】
2020148717.tif 000004
【図３】
2020148717.tif 000005
【図４】
2020148717.tif 000006
【図５】
2020148717.tif 000007
【図６】
2020148717.tif 000008